(57)【要約】【課題】駆動モードの切り替えに伴って発生する表示品位の低下を防止することができる液晶表示装置及びその駆動方法、並びに、電子機器を提供する。【解決手段】表示画素の共通電極に所定の共通信号を供給する共通電極駆動回路１９と、所定の階調レベルに対応して、第一の表示信号電圧及び前記第一の表示信号電圧とは異なる値の第二の表示信号電圧を生成する表示信号電圧生成手段と、第一の表示信号電圧または第二の表示信号電圧を、データ信号線を介して画素電極に選択的に供給して、液晶に印加される電圧の極性を所定の周期で切り換えるデータ信号線駆動回路１８と、を備えた液晶表示装置であって、第一の表示信号電圧及び第二の表示信号電圧に対応する所定の電圧になるように、共通電極駆動回路が共通電極に供給する共通信号を可変設定する共通信号設定手段１９１を備える。【選択図】      図３
2009229922.tif 000002
【特許請求の範囲】
【請求項１】
画素電極と共通電極との間に液晶を挟持した表示画素を有する表示パネルと、
前記表示画素の共通電極に所定の共通信号を供給する共通電極駆動手段と、
所定の階調レベルに対応して、第一の表示信号電圧及び前記第一の表示信号電圧とは異なる値の第二の表示信号電圧を生成する表示信号電圧生成手段と、
前記第一の表示信号電圧または前記第二の表示信号電圧を、データ信号線を介して前記画素電極に選択的に供給して、液晶に印加される電圧の極性を所定の周期で切り換えるデータ信号線駆動手段と、を備えた液晶表示装置であって、
前記第一の表示信号電圧及び前記第二の表示信号電圧に対応する所定の電圧になるように、前記共通電極駆動手段が前記共通電極に供給する共通信号を可変設定する共通信号設定手段を備えていることを特徴とする液晶表示装置。
【請求項２】
前記表示信号電圧生成手段は、前記表示パネルの駆動モードに応じて異なる値の第一の表示信号電圧または第二の表示信号電圧を生成し、
前記共通信号設定手段は、前記表示パネルの駆動モードに応じた共通信号を設定することを特徴とする請求項１に記載の液晶表示装置。
【請求項３】
前記表示信号電圧生成手段は、前記表示パネルが画像データに基づいて表示し得る階調レベルの数に対応させて異なる値の第一の表示信号電圧または第二の表示信号電圧を生成し、
前記共通信号設定手段は、画像データの階調レベル数に対応した共通信号を設定することを特徴とする請求項１または２に記載の液晶表示装置。
【請求項４】
前記共通信号設定手段は、前記第一の表示信号電圧と前記第二の表示信号電圧との平均電圧を所定の値だけシフトした電圧になるように、共通信号を設定することを特徴とする請求項１から３の何れかに記載の液晶表示装置。
【請求項５】
前記共通信号設定手段は、前記第一の表示信号電圧と前記第二の表示信号電圧との平均電圧を所定の値だけシフトした電圧が前記共通信号の振幅中心電圧になるように、前記所定の周期で電圧レベルが変化する共通信号を設定することを特徴とする請求項１から３の何れかに記載の液晶表示装置。
【請求項６】
画素電極と共通電極との間に液晶が挟持され、
前記共通電極に所定の共通信号を供給し、
所定の階調レベルに対応して、第一の表示信号電圧及び前記第一の表示信号電圧とは異なる値の第二の表示信号電圧を生成し、
前記第一の表示信号電圧または前記第二の表示信号電圧を、データ信号線を介して前記画素電極に選択的に供給して、液晶に印加する電圧の極性を所定の周期で切り換える液晶表示装置の駆動方法であって、
前記第一の表示信号電圧及び前記第二の表示信号電圧に対応する所定の電圧になるように、前記共通電極に供給する共通信号を可変設定することを特徴とする液晶表示装置の駆動方法。
【請求項７】
画素電極と共通電極との間に液晶を挟持した表示画素を有する表示パネルと、
前記表示画素の共通電極に所定の共通信号を供給する共通電極駆動手段と、
所定の階調レベルに対応して、第一の表示信号電圧及び前記第一の表示信号電圧とは異なる値の第二の表示信号電圧を生成する表示信号電圧生成手段と、
前記第一の表示信号電圧または前記第二の表示信号電圧を、データ信号線を介して前記画素電極に選択的に供給して、液晶に印加される電圧の極性を所定の周期で切り換えるデータ信号線駆動手段と、を有する表示部を備えた電子機器であって、
前記表示部は、
前記第一の表示信号電圧及び前記第二の表示信号電圧に対応する所定の電圧になるように、前記共通電極駆動手段が前記共通電極に供給する共通信号を可変設定する共通信号設定手段を備えていることを特徴とする電子機器。
【発明の詳細な説明】
【技術分野】
【０００１】
本発明は、液晶に印加する電圧の極性を所定の周期で切り換える液晶表示装置及びその駆動方法、並びに、電子機器に関する。
【背景技術】
【０００２】
従来より、液晶を駆動させて画像表示する液晶表示装置が知られている。このような液晶表示装置には、表示パネルに複数の走査信号線と複数のデータ信号線とを直交に配置し、各交点近傍に表示画素を配置するアクティブマトリクス方式のものがある。このアクティブマトリクス型液晶表示装置においては、スイッチング素子（例えばＴＦＴ（Thin Film Transistor：薄膜トランジスタ））を介してデータ信号線に接続される画素電極と、当該画素電極に対向して配置される共通電極との間に液晶が充填され、２つの電極間にて電場が形成されることにより液晶が駆動される。
【０００３】
また、液晶表示装置においては、液晶は交流駆動され、例えばライン反転駆動方式が採用される。このライン反転駆動方式では、当該表示画素の液晶に印加される電圧の極性が１フレーム毎に反転するとともに、各走査信号線に対応する表示画素毎に隣接する表示画素間で液晶に印加される電圧の極性が反転する。即ち、各表示画素間で電位が等しくなっている共通電極と当該表示画素の画素電極との電位関係が１フレーム毎に反転するとともに、各走査信号線に対応する表示画素毎に隣接する表示画素間で反転する。ここでフレームとは、表示パネルに１画面分の画像を表示させるために必要な期間を意味する。
【０００４】
ところで、このような液晶表示装置においては、画素電極と走査信号線との間に寄生容量Ｃｇｓが形成される。そして、この寄生容量Ｃｇｓの影響により、スイッチング素子（以下、画素トランジスタと称する。）がオン状態からオフ状態に切り替わる際にフィードスルー現象が発生する。即ち、画素トランジスタのオン状態からオフ状態に切り替わるのに伴って画素電極と走査信号線との電位関係が変化するため、画素容量Ｃｌｃや補助容量Ｃｃｓ、寄生容量Ｃｇｓに蓄積された電荷が再分配され、画素電極での電位Ｖｐｉｘが、ＴＦＴがオン状態のときに書き込まれた表示信号Ｖｓｉｇから後述するフィードスルー電圧ΔＶ分シフトする。
【０００５】
フィードスルー電圧ΔＶは、一般に（数１）のように表され、寄生容量Ｃｇｓに対して密接な関係を有している。
【０００６】
（数１）
ΔＶ＝Ｃｇｓ×ΔＶｇ／（Ｃｌｃ＋Ｃｃｓ＋Ｃｇｓ）
ここで、ΔＶｇは走査信号線に供給される走査信号の電圧振幅（Ｖｇｈ−Ｖｇｌ）である。
【０００７】
このため、フレーム毎に液晶に印加する電圧の極性を反転させるような場合には、共通電極に供給するコモン信号（共通信号）Ｖｃｏｍを、フレーム周期で電圧レベルが変化する表示信号Ｖｓｉｇの振幅中心電圧ＶｓｉｇｃからΔＶだけシフトさせた電圧に設定することで、液晶に印加される電圧の大きさＶｌｃｐ、Ｖｌｃｎが液晶に正極性の電圧を書き込むときと負極性の電圧を書き込むときとで非対称になることを防止し、これによりフリッカが発生することを防止している。なお、コモン信号Ｖｃｏｍを表示信号Ｖｓｉｇに対応させた周期で振幅させる場合には、図１４に示すように、コモン信号Ｖｃｏｍの振幅中心電圧Ｖｃｏｍｃを、表示信号Ｖｓｉｇの振幅中心電圧ＶｓｉｇｃからΔＶだけシフトさせた電圧に設定している。
【０００８】
また、液晶表示装置は、携帯電話機やデジタルカメラなどのディスプレイとして適用する場合に、例えば、表示画像を静止画で表示する静止画表示駆動モードに対して、動画で表示する動画表示駆動モードを設けたり、フル階調を表示するフル階調表示駆動モードに対して、待ち受け時に表示階調レベル数を削減した画像を表示する２階調表示駆動モードやパーシャル駆動モードなど、複数の駆動モードを設定可能に構成されるものが知られている。
【０００９】
例えば特許文献１には、フルカラーを表示するフルカラー表示駆動モードの他に、ユーザによる操作が無い場合に設定される、表示色数を減らした８色表示駆動モードを有した表示装置及びその駆動回路が開示されている。
【特許文献１】特開２００４−１８４６４９号公報
【発明の開示】
【発明が解決しようとする課題】
【００１０】
しかしながら、従来は、上述したような駆動モードを複数備えた場合には、駆動モードの切り替えに伴って、表示信号電圧Ｖｓｉｇの中心電圧Ｖｓｉｇｃが変化するときがあるが、このようなときであっても、コモン信号Ｖｃｏｍは固定されていたため、液晶に印加される電圧の大きさが液晶に正極性の電圧を書き込むときと負極性の電圧を書き込むときとで非対称になり、これに伴ってフリッカが発生し表示品位が低下するという問題があった。
【００１１】
本発明は、上記の事情に鑑みてなされたもので、駆動モードの切り替えに伴って発生する表示品位の低下を防止することができる液晶表示装置及びその駆動方法、並びに、電子機器を提供することを目的とする。
【課題を解決するための手段】
【００１２】
前記の目的を達成する為に、請求項１に記載の発明の液晶表示装置は、画素電極と共通電極との間に液晶を挟持した表示画素を有する表示パネルと、前記表示画素の共通電極に所定の共通信号を供給する共通電極駆動手段と、所定の階調レベルに対応して、第一の表示信号電圧及び前記第一の表示信号電圧とは異なる値の第二の表示信号電圧を生成する表示信号電圧生成手段と、前記第一の表示信号電圧または前記第二の表示信号電圧を、データ信号線を介して前記画素電極に選択的に供給して、液晶に印加される電圧の極性を所定の周期で切り換えるデータ信号線駆動手段と、を備えた液晶表示装置であって、前記第一の表示信号電圧及び前記第二の表示信号電圧に対応する所定の電圧になるように、前記共通電極駆動手段が前記共通電極に供給する共通信号を可変設定する共通信号設定手段を備えていることを特徴とする。  
請求項２に記載の発明の液晶表示装置は、請求項１に記載の液晶表示装置において、前記表示信号電圧生成手段は、前記表示パネルの駆動モードに応じて異なる値の第一の表示信号電圧または第二の表示信号電圧を生成し、前記共通信号設定手段は、前記表示パネルの駆動モードに応じた共通信号を設定することを特徴とする。  
請求項３に記載の発明の液晶表示装置は、請求項１または２に記載の液晶表示装置において、前記表示信号電圧生成手段は、前記表示パネルが画像データに基づいて表示し得る階調レベルの数に対応させて異なる値の第一の表示信号電圧または第二の表示信号電圧を生成し、前記共通信号設定手段は、画像データの階調レベル数に対応した共通信号を設定することを特徴とする。  
請求項４に記載の発明の液晶表示装置は、請求項１から３の何れかに記載の液晶表示装置において、前記共通信号設定手段は、前記第一の表示信号電圧と前記第二の表示信号電圧との平均電圧を所定の値だけシフトした電圧になるように、共通信号を設定することを特徴とする。  
請求項５に記載の発明の液晶表示装置は、請求項１から３の何れかに記載の液晶表示装置において、前記共通信号設定手段は、前記第一の表示信号電圧と前記第二の表示信号電圧との平均電圧を所定の値だけシフトした電圧が前記共通信号の振幅中心電圧になるように、前記所定の周期で電圧レベルが変化する共通信号を設定することを特徴とする。  
請求項６に記載の発明の液晶表示装置の駆動方法は、画素電極と共通電極との間に液晶が挟持され、前記共通電極に所定の共通信号を供給し、所定の階調レベルに対応して、第一の表示信号電圧及び前記第一の表示信号電圧とは異なる値の第二の表示信号電圧を生成し、前記第一の表示信号電圧または前記第二の表示信号電圧を、データ信号線を介して前記画素電極に選択的に供給して、液晶に印加する電圧の極性を所定の周期で切り換える液晶表示装置の駆動方法であって、前記第一の表示信号電圧及び前記第二の表示信号電圧に対応する所定の電圧になるように、前記共通電極に供給する共通信号を可変設定することを特徴とする。  
請求項７に記載の発明の電子機器は、画素電極と共通電極との間に液晶を挟持した表示画素を有する表示パネルと、前記表示画素の共通電極に所定の共通信号を供給する共通電極駆動手段と、所定の階調レベルに対応して、第一の表示信号電圧及び前記第一の表示信号電圧とは異なる値の第二の表示信号電圧を生成する表示信号電圧生成手段と、前記第一の表示信号電圧または前記第二の表示信号電圧を、データ信号線を介して前記画素電極に選択的に供給して、液晶に印加される電圧の極性を所定の周期で切り換えるデータ信号線駆動手段と、を有する表示部を備えた電子機器であって、前記表示部は、前記第一の表示信号電圧及び前記第二の表示信号電圧に対応する所定の電圧になるように、前記共通電極駆動手段が前記共通電極に供給する共通信号を可変設定する共通信号設定手段を備えていることを特徴とする。
【発明の効果】
【００１３】
本発明によれば、駆動モードの切り替えに伴って発生する表示品位の低下を防止することができる。
【発明を実施するための最良の形態】
【００１４】
以下、図面を参照して本発明の実施の形態を詳細に説明する。
【００１５】
図１は、本発明の電子機器を携帯電話機１に適用した場合の構成を示すブロック図、図２は携帯電話機１の外観を示す図である。
【００１６】
図１に示すように、携帯電話機１は、当該携帯電話機１を操作するためのキー入力部１０と、外部の機器とのデータ通信や音声通話をするための送受信処理を実行する無線部１１と、静止画像や動画像を撮影する撮像部１２と、撮像部１２により撮像された静止画像や動画像を表示したり各種情報を表示するための表示部１３と、キー入力部１０を介して入力された情報等に基づいて無線部１１や撮像部１２、表示部１３を制御する統括制御部１４等を備えて構成されている。
【００１７】
なお、本実施の形態では、統括制御部１４は、予め定められた時間以上継続してキー入力部１０を介してユーザからの操作が無かった場合や、無線部１１を介した外部からのデータ送信が無かった場合に、表示部１３を低階調表示駆動モードに設定し、表示部１３に表示可能な階調レベル数よりも階調数の少ない画像を待ち受け画像として表示部１３に表示させる。例えば、階調レベル数が２５６階調（８ビット）からなる画像に対して、階調レベル数が２階調（１ビット）の画像を表示部１３に表示させる。また、キー入力部１０を介したユーザからの操作を検出した場合や、無線部１１を介した外部からのデータ送信を検出した場合に、再び、表示部１３を高階調表示駆動モードに設定し、表示部１３に表示可能な階調レベル数を最大限に活用した画像を表示部１３に表示させる。そして、統括制御部１４は、このような低階調表示駆動モードと高階調表示駆動モードとを表示部１３が識別可能なように表示部１３に第一の駆動モード識別信号Ｍｓ１を出力する。また、表示部１３は、第一の駆動モード識別信号Ｍｓ１に基づいて当該表示部１３に表示する画像を調整する。
【００１８】
また、統括制御部１４は、例えば当該携帯電話機１の機能を選択させるアイコンが表示される情報表示画面や、撮像部１２により撮影した画像を静止画として表示部１３に表示させる場合には、表示部１３が静止画に対応した第一のγ特性を有する画像を静止画表示駆動モードとして表示させるとともに、撮像部１２により撮影した画像を動画として表示部１３に表示させる場合には、表示部１３が動画に対応した第二のγ特性を有する画像を動画表示駆動モードとして表示させる。そして、統括制御部１４は、このような静止画表示駆動モードと動画表示駆動モードとを表示部１３が識別可能なように表示部１３に第二の駆動モード識別信号Ｍｓ２を出力する。また、表示部１３は、第二の駆動モード識別信号Ｍｓ２に基づいて当該表示部１３に表示する画像を調整する。
【００１９】
表示部１３は、液晶表示装置であり、表示領域１６４が視認可能となるように、当該携帯電話１の筐体２に組み込まれている。そして、図３に示すように、例えば統括制御部１４を介して撮像部１３等から入力されてくる画像データを一時記憶する画像メモリ１５と、画像メモリ１５に記憶された画像データに基づく画像が表示される表示パネル１６と、表示パネル１６の走査信号線を走査するための走査信号線駆動回路１７と、表示パネル１６のデータ信号線に画像データに基づいた表示信号電圧を供給するためのデータ信号線駆動回路１８と、表示パネル１６の共通電極及び補助容量線に所定の電圧を印加するための共通電極駆動回路１９と、走査信号線駆動回路１７やデータ信号線駆動回路１８、共通電極駆動回路１９に詳細は後述する各種制御信号を出力して、これらの同期を得る表示制御部２０等を備えて構成されている。
【００２０】
表示パネル１６は、図４に示すように、対向配置され、シール材１６１により接着された２枚の基板１６２、１６３間に液晶ＬＣが挟持された構成となっている。そして、一方の基板１６２はその表示領域１６４に、行方向に延伸配設された複数の走査信号線（例えばｎ本の走査信号線）と、同じく行方向に延伸配設された複数の補助容量線（例えばｎ本×２の補助容量線）と、列方向に延伸配設された複数のデータ信号線（例えばｍ本のデータ信号線）とを備え、走査信号線Ｇ（ｊ）とデータ信号線Ｓ（ｉ）との各交点近傍に図５に等価回路として示す表示画素Ｐ（ｉ，ｊ）が設けられている。ここで、ｉ＝１，２，３，・・・，ｍ。ｊ＝１，２，３，・・・，ｎ。また、他方の基板１６３には、一方の基板１１２との対向面側に各表示画素Ｐ（ｉ，ｊ）で共通の電位になる共通電極１６５が形成されている。例えば一方の基板１６２との対向面側に透明な電極が一面に亘って形成されている。そして、共通電極１６５と補助容量線Ｃ（ｊ）は、表示領域１６４の外部で電気的に接続されることによって、同一のコモン信号Ｖｃｏｍが印加される。
【００２１】
即ち、各表示画素Ｐ（ｉ，ｊ）には、アクティブ素子としての画素トランジスタＴＦＴを介して走査信号線Ｇ（ｊ）及びデータ信号線Ｓ（ｉ）に接続された画素電極１０２と、画素電極１０２に対向する位置に配置された共通電極１６５と、画素電極１０２と共通電極１６５との間に液晶が充填されてなる液晶容量Ｃｌｃと、液晶容量Ｃｌｃと並列接続され、液晶容量Ｃｌｃへの印加電圧を保持する補助容量Ｃｃｓが形成されている。そして、画素電極１０２と共通電極１６５との間に形成される電界により液晶の配列が変化することを用いて、画像表示が実現される。
【００２２】
なお、画素トランジスタＴＦＴのドレイン電極１０４は画素電極１０２に接続され、画素トランジスタＴＦＴのソース電極１０６はデータ信号線Ｓ（ｉ）に接続され、画素トランジスタＴＦＴのゲート電極１０８は走査信号線Ｇ（ｊ）に接続されている。また、走査信号線Ｇ（ｊ）と画素電極１００との間には寄生容量Ｃｇｓが形成される。さらに、補助容量Ｃｃｓは、画素電極１０２と補助容量線Ｃ（ｊ）との間に固体からなる誘電体を挟持することで形成される。
【００２３】
走査信号線駆動回路１７は、図６に示すように、表示制御部２０から出力される垂直同期信号Ｖｓや、水平同期信号Ｈｓとしての第１ゲートクロック信号ＧＣＫ１及び第２ゲートクロック信号ＧＣＫ２に基づいて、各走査信号線Ｇ（ｊ）に走査信号を出力する。
【００２４】
即ち、走査信号線駆動回路１７は、垂直同期信号Ｖｓに応じて当該フレームでの走査を開始するとともに、第１ゲートクロック信号ＧＣＫ１及び第２ゲートクロック信号ＧＣＫ２に応じて、所定の期間だけローレベル電圧Ｖｇｌからハイレベル電圧Ｖｇｈに切り換えるといった電圧出力を、最前段の走査信号線Ｇ（１）から順に最後段の走査信号線Ｇ（ｎ）まで、走査信号線毎に行う。換言すると、走査信号線駆動回路１７は、走査信号線Ｇ（ｊ）毎に、当該走査信号線Ｇ（ｊ）に対応するＴＦＴを順次オン状態にし、このときにデータ信号線Ｓ（ｉ）に出力されている表示信号電圧を対応する画素電極１０２に印加する。
【００２５】
データ信号線駆動回路１８は、表示制御部２０から出力される水平同期信号Ｈｓ、垂直同期信号Ｖｓ、画像データＤａｔａ、基準クロック信号ＣＬＫ、及び極性反転信号Ｐｏｌ、更には、統括制御部１４から出力される第一の駆動モード識別信号Ｍｓ１及び第二の駆動モード識別信号Ｍｓ２に基づいて、表示パネル１６に設けられた各データ信号線Ｓ（ｉ）に対して、各データ信号線Ｓ（ｉ）に対応する表示信号電圧を所定のタイミングで出力するものである。
【００２６】
データ信号線駆動回路１８の機能ブロック構成は、図７に示すように、サンプリングメモリ１８１、データラッチ部１８２、Ｄ／Ａ変換回路（ＤＡＣ）１８３、及び表示信号電圧生成回路１８４からなる。
【００２７】
サンプリングメモリ１８１は、表示制御部２０から出力される水平同期信号Ｈｓ及び基準クロック信号ＣＬＫに同期して、走査信号線一本分の表示画素に対応する画像データ（１水平期間分の画像データ）単位で、各表示画素に対応する画像データを前段側の走査信号線に対応するものから順に、画像メモリ１５から取り込むためのものであり、データ信号線Ｓ（ｉ）の数と同数のデータ格納領域を備えている。つまり、サンプリングメモリ１８１は、走査信号線毎に当該走査信号線に対応した画像データを取り込むとともに、当該取り込んだ画像データのそれぞれを、対応するデータ信号線Ｓ（ｉ）のデータ格納領域に格納する。
【００２８】
ここで、画像データには、各表示画素に表示すべき階調レベルが含まれ、この階調レベルは、統括制御部１４から出力される第一の駆動モード識別信号Ｍｓ１がハイレベルになっているときは、高階調表示駆動モードとして、表示画素毎に例えば８ビットのデジタルデータで表される。そして、各データ格納領域には、この８ビットのデジタルデータが格納される。また、統括制御部１４から出力される第一の駆動モード識別信号Ｍｓ１がローレベルになっているときは、低階調表示駆動モードとして、表示画素毎に例えば１ビットのデジタルデータで表される。そして、各データ格納領域には、この１ビットのデジタルデータが格納される。つまり、表示制御部２０は、統括制御部１４から出力される第一の駆動モード識別信号Ｍｓ１がハイレベルになっているときは高階調表示駆動モードに対応した画像データを画像メモリ１５から取得してデータ信号線駆動回路１８に出力し、統括制御部１４から出力される第一の駆動モード識別信号Ｍｓ１がローレベルになっているときは低階調表示駆動モードに対応した画像データを画像メモリ１５から取得してデータ信号線駆動回路１８に出力する。
【００２９】
サンプリングメモリ１８１が取り込んだ一水平期間分の画像データは、後段のデータラッチ部１８２からの要求にしたがって、サンプリングメモリ１８１からデータラッチ部１８２に転送される。データラッチ部１８２に画像データが転送されると、サンプリングメモリ１８１は、次の一水平期間分の画像データとして次の行の走査信号線に対応した画像データの取り込み状態に移る。これは、水平同期信号Ｈｓに同期して行われる。
【００３０】
データラッチ部１８２は、水平同期信号Ｈｓに基づいて、サンプリングメモリ１８１から一水平期間分の画像データを一斉に取得するとともに、取得した画像データを後段のＤ／Ａ変換回路１８３に出力する。
【００３１】
Ｄ／Ａ変換回路１８３は、複数のＤＡＣ部２４１及び出力アンプ回路２４２で構成され、ＤＡＣ部２４１により表示信号電圧生成回路１８４から供給される表示信号電圧が選択されることで、データラッチ部１８２から出力されてくるそれぞれの画像データが、対応するアナログ信号としての表示信号電圧に変換され、出力アンプ回路２４２によりデータ信号線Ｓ（ｉ）へ出力される。
【００３２】
このとき、Ｄ／Ａ変換回路１８３は、表示制御部２０から出力される極性反転信号Ｐｏｌに対応するように、データラッチ部１８２から出力されたデジタル形式の画像データをアナログ信号としての表示信号電圧に変換する。具体的には、Ｄ／Ａ変換回路１８３は、極性反転信号ＰｏｌがハイレベルＶｓｈであれば、データラッチ部１８２から出力された画像データが正極性の表示信号電圧になるようにＤ／Ａ変換し、極性反転信号ＰｏｌがローレベルＶｓｌであれば、データラッチ部１８２から出力された画像データが負極性の表示信号電圧になるようにＤ／Ａ変換する。換言すると、Ｄ／Ａ変換回路１８３は、極性反転信号ＰｏｌがハイレベルＶｓｈであるときは、液晶に印加される電圧が正極性となるようにＤ／Ａ変換し、極性反転信号ＰｏｌがローレベルＶｓｌであるときは、液晶に印加される電圧が負極性となるようにＤ／Ａ変換する。
【００３３】
表示信号電圧生成回路１８４は、図８に示すように、それぞれが、端子２５５（電圧ＶＨ）と端子２５６（電圧ＶＬ）との間の電圧を画像データのビット数ｐ（本実施の形態では８ビット）に応じた複数の抵抗で分圧する２組のラダー抵抗器３１，３２と、何れか一方のラダー抵抗器に切り換えるための複数のスイッチＳＹ０，ＳＹ０００，ＳＹ００１，・・・，ＳＹ２５４，ＳＹ２５５，ＳＹ１と、切り換えられたラダー抵抗器に対応するように、ラダー抵抗器へ印加する電圧の極性を切り換えるためのスイッチＳＹａ，ＳＹｂなどから構成される。そして、表示信号電圧生成回路１８４は、表示制御部２０から出力される極性反転信号Ｐｏｌに基づいて各スイッチＳＹ０００，ＳＹ００１，・・・，ＳＹ２５５、及び、ＳＹ０，ＳＹ１によりラダー抵抗器を選択するとともに、ラダー抵抗器に印加する電圧の極性をスイッチＳＹａ，ＳＹｂにより切り換え、ラダー抵抗器によって分圧されたそれぞれの電圧をこれに対応する階調レベルの表示信号電圧として電圧印加ライン〔Ｖ０〕８，〔Ｖ１〕８，・・・，〔Ｖ２５５〕８、及び、〔Ｖ０〕１，〔Ｖ１〕１に印加する。
【００３４】
具体的には、ラダー抵抗器３１は、表示制御部２０からの極性反転信号ＰｏｌがハイレベルＶｓｈのときに各スイッチＳＹ０００，ＳＹ００１，・・・，ＳＹ２５５、及び、ＳＹ０，ＳＹ１により当該ラダー抵抗器３１が選択されるとともに、スイッチＳＹａ，ＳＹｂにより端子２５５ａ（電圧ＶＨ）と端子２５６ｂ（電圧ＶＬ）が選択されることで、端子２５５ａ（電圧ＶＨ）と端子２５６ｂ（電圧ＶＬ）の間の電圧を画像データのビット数（本実施の形態では８ビット）に応じた複数の抵抗ＲＡ０，ＲＡ１，・・・，ＲＡ２５６で分圧し、それぞれの電圧を、例えば液晶に印加される電圧が正極性になる表示信号電圧Ｖｄｐとして電圧印加ライン〔Ｖ０〕８，〔Ｖ１〕８，・・・，〔Ｖ２５５〕８、及び、〔Ｖ０〕１，〔Ｖ１〕１に印加する。
【００３５】
また、ラダー抵抗器３２は、表示制御部２０からの極性反転信号ＰｏｌがローレベルＶｓｌのときに各スイッチＳＹ０００，ＳＹ００１，・・・，ＳＹ２５５、及び、ＳＹ０，ＳＹ１により当該ラダー抵抗器３２が選択されるとともに、スイッチＳＹａ，ＳＹｂにより端子２５６ａ（電圧ＶＬ）と端子２５５ｂ（電圧ＶＨ）が選択されることで、端子２５６ａ（電圧ＶＬ）と端子２５５ｂ（電圧ＶＨ）の間の電圧を画像データのビット数（本実施の形態では８ビット）に応じた複数の抵抗ＲＢ０，ＲＢ１，・・・，ＲＢ２５６で分圧し、それぞれの電圧を、例えば液晶に印加される電圧が負極性になる表示信号電圧Ｖｄｎとして電圧印加ライン〔Ｖ０〕８，〔Ｖ１〕８，・・・，〔Ｖ２５５〕８、及び、〔Ｖ０〕１，〔Ｖ１〕１に印加する。
【００３６】
そして、電圧印加ライン〔Ｖ０〕８，〔Ｖ１〕８，・・・，〔Ｖ２５５〕８、及び、〔Ｖ０〕１，〔Ｖ１〕１に印加された各表示信号電圧は、それぞれに対応した階調アンプ〔Ａ０〕８，〔Ａ１〕８，・・・，〔Ａ２５５〕８、及び、〔Ａ０〕１，〔Ａ１〕１を介してＤ／Ａ変換回路１８３に供給される。
【００３７】
つまり、表示信号電圧生成回路１８４は、制御部２０から出力されてくる極性反転信号Ｐｏｌに応じて、各階調レベルに対応させて、値の異なる２種類の表示信号電圧を生成する。
【００３８】
ここで、各ラダー抵抗器３１、３２は、統括制御部１４から出力される第二の駆動モード識別信号Ｍｓ２に応じて、それぞれの抵抗ＲＡ０，ＲＡ１，・・・，ＲＡ２５６、及び、ＲＢ０，ＲＢ１，・・・，ＲＢ２５６の抵抗値を切り換えることによって、電圧印加ライン〔Ｖ０〕８，〔Ｖ１〕８，・・・，〔Ｖ２５５〕８に印加される表示信号電圧が、静止画表示駆動モードまたは動画表示駆動モードに対応した表示信号電圧となるように切り換える。つまり、第二の駆動モード識別信号Ｍｓ２がハイレベルで静止画表示駆動モードを示しているときは、静止画表示駆動モードに対応する抵抗値となるようにそれぞれの抵抗ＲＡ０，ＲＡ１，・・・，ＲＡ２５６、及び、ＲＢ０，ＲＢ１，・・・，ＲＢ２５６の抵抗値を切り換えることによって、例えば図９（ａ）や図９（ｂ）に示すように、デジタルデータとしての階調レベルからアナログデータとしての表示信号電圧Ｖｄｐ、Ｖｄｎへの変換特性が静止画表示駆動モードに対応した第一のγ特性γ１になるように切り換える。また、第二の駆動モード識別信号Ｍｓ２がローレベルで動画表示駆動モードを示しているときは、動画表示駆動モードに対応する抵抗値となるようにそれぞれの抵抗ＲＡ０，ＲＡ１，・・・，ＲＡ２５６、及び、ＲＢ０，ＲＢ１，・・・，ＲＢ２５６の抵抗値を切り換えることによって、デジタルデータとしての階調レベルからアナログデータとしての表示信号電圧Ｖｄｐ、Ｖｄｎへの変換特性が動画表示駆動モードに対応した第二のγ特性γ２になるように切り換える。
【００３９】
各ＤＡＣ部２４１は、図１０に示すように、デコーダ２４３と、各電圧印加ライン〔Ｖ０〕８，〔Ｖ１〕８，・・・，〔Ｖ２５５〕８、及び、〔Ｖ０〕１，〔Ｖ１〕１に接続される選択スイッチＳＷ０００，ＳＷ００１，・・・，ＳＷ２５５、及び、ＳＷ０，ＳＷ１と、を備えて構成されている。デコーダ２４３は、データラッチ部１８２から出力された画像データを入力してデコードし、階調レベル数（ビット数）に応じたデータ信号を出力する。各選択スイッチＳＷ０００，ＳＷ００１，・・・，ＳＷ２５５、及び、ＳＷ０，ＳＷ１はデコーダ２４３から出力されるデータ信号に基づいてオン／オフが制御される。そして選択された電圧印加ライン〔Ｖ０〕８，〔Ｖ１〕８，・・・，〔Ｖ２５５〕８、及び、〔Ｖ０〕１，〔Ｖ１〕１と電圧出力ラインＳＬとが導通されて、選択された電圧印加ライン〔Ｖ０〕８，〔Ｖ１〕８，・・・，〔Ｖ２５５〕８、及び、〔Ｖ０〕１，〔Ｖ１〕１に印加されている表示信号電圧が電圧出力ラインＳＬに印加される。そして、電圧出力ラインＳＬに印加された表示信号電圧は、出力アンプ回路２４２を介してデータ信号線Ｓ（ｉ）に供給される。
【００４０】
ここで、統括制御部１４から出力される第一の駆動モード識別信号Ｍｓ１がハイレベルになっているとき（高階調表示駆動モードのとき）は、ＳＷ０及びＳＷ１をオフした状態で、ＳＷ０００，ＳＷ００１，・・・，ＳＷ２５５をデータ信号に基づいてオン／オフ制御する。つまり、高階調表示駆動モードのときは、電圧印加ライン〔Ｖ０〕８，〔Ｖ１〕８，・・・，〔Ｖ２５５〕８に印加されている表示信号電圧が各データ信号線Ｓ（ｉ）へ供給される表示信号電圧として用いられる。
【００４１】
また、統括制御部１４から出力される第一の駆動モード識別信号Ｍｓ１がローレベルになっているとき（低階調表示駆動モードのとき）は、ＳＷ０００，ＳＷ００１，・・・，ＳＷ２５５をオフした状態で、ＳＷ０及びＳＷ１をデータ信号に基づいてオン／オフ制御する。つまり、低階調表示駆動モードのときは、電圧印加ライン〔Ｖ０〕１，〔Ｖ１〕１に印加されている表示信号電圧が各データ信号線Ｓ（ｉ）へ供給される表示信号電圧として用いられる。この場合、端子２５５及び端子２５６に印加される基準電圧は分圧されることなく表示信号電圧として用いられる。
【００４２】
なお、低階調表示駆動モードのときは、表示信号電圧生成回路１８４における高階調表示駆動モード用の階調アンプＡｈ、即ち、階調アンプ〔Ａ０〕８，〔Ａ１〕８，・・・，〔Ａ２５５〕８への電源供給が停止される構成としておけば、不必要に電力を消費することがなくなり好ましい。つまり、予め定められた時間以上継続してキー入力部１０を介してユーザからの操作が無かったり、無線部１１を介した外部からのデータ送信が無く、当該携帯電話１がユーザにより使用されていない可能性が高いときに無駄に電力を消費してしまうことを防止でき好ましい。
【００４３】
共通電極駆動回路１９は、各駆動モードに対応して複数のコモン信号が予め記憶され、統括制御部１４から出力される第一の駆動モード識別信号Ｍｓ１及び第二の駆動モード識別信号Ｍｓ２に基づいたコモン信号（共通信号）Ｖｃｏｍを設定する共通信号設定手段１９１を備え、この共通信号設定手段１９１により設定されたコモン信号Ｖｃｏｍを共通電極１６５及び補助容量線Ｃ（ｊ）に供給する。
【００４４】
具体的には、各データ信号線Ｓ（ｉ）に供給される表示信号電圧は、上述したように、高階調表示駆動モードでは、端子２５５及び端子２５６に印加される基準電圧が分圧されることにより生成されるのに対して、低階調表示駆動モードでは、端子２５５及び端子２５６に印加される基準電圧が分圧されることなく生成される。従って、図１１に示すように、高階調表示駆動モードと低階調表示駆動モードとでは、液晶に印加する電圧を正極性にするための表示信号電圧Ｖｄｐと負極性にするための表示信号電圧Ｖｄｎとからなる表示信号Ｖｓｉｇの振幅中心電圧Ｖｓｉｇｃが異なっている。また、図１２に示すように、静止画表示駆動モードと動画表示駆動モードとでは、端子２５５及び端子２５６に印加される基準電圧の分圧比が異なるため、この場合においても、液晶に印加する電圧を正極性にするための表示信号電圧Ｖｄｐと負極性にするための表示信号電圧Ｖｄｎとからなる表示信号Ｖｓｉｇの振幅中心電圧Ｖｓｉｇｃが異なっている。ここで、振幅中心電圧Ｖｓｉｇｃは、所定の階調レベルでの表示信号電圧Ｖｄｐと表示信号電圧Ｖｄｎとの平均電圧である。そして、この平均電圧は、各階調レベルで等しくなる。
【００４５】
そこで、共通電極駆動回路１９においては、例えば、図６に示すように、コモン信号Ｖｃｏｍを極性反転信号Ｐｏｌに応じてハイレベル電圧（Ｖｃｏｍｃ＋Ｖａ）とローレベル電圧（Ｖｃｏｍｃ−Ｖａ）との間で振幅させるような場合には、図１３に示すように、コモン信号Ｖｃｏｍの振幅中心電圧Ｖｃｏｍｃの値が、駆動モード毎に、そのときの表示信号Ｖｓｉｇの振幅中心電圧Ｖｓｉｇｃから上述した（数１）により導出されるフィードスルー電圧ΔＶだけ差し引いた値になるように予め記憶されている。そして、共通信号設定手段１９１は、第一の駆動モード識別信号Ｍｓ１及び第二の駆動モード識別信号Ｍｓ２に基づいて高階調表示駆動モードと低階調表示駆動モードとを、さらには、静止画表示駆動モードと動画表示駆動モードとを識別して、当該表示パネル１６の駆動モードに対応した振幅中心電圧Ｖｃｏｍｃを設定する。そして、共通電極駆動回路１９は、この振幅中心電圧Ｖｃｏｍｃを基準に±Ｖａの振幅幅で振幅するコモン信号Ｖｃｏｍを共通電極１６５及び補助容量線Ｃ（ｊ）に供給する。
【００４６】
これにより、高階調表示駆動モードや低階調表示駆動モード、さらには、静止画表示駆動モードや動画表示駆動モードのように当該表示パネル１６の駆動モードが切り換わった場合においても、液晶に印加される電圧の大きさを液晶に正極性の電圧を書き込むときと負極性の電圧を書き込むときとで常に等しくすることができるため、フリッカの発生を防止でき、結果として、表示品位が低下することを防止できる。即ち、表示品位を低下させることなく、静止画表示や動画表示に対応した表示パネルの駆動を実現できるとともに、電力の消費を抑制した表示パネルの駆動を実現できる。
【００４７】
なお、コモン信号Ｖｃｏｍを振幅させずに、直流電圧からなる信号を共通電極１６５及び補助容量線Ｃ（ｊ）に供給する場合には、この直流電圧の値が、表示信号Ｖｓｉｇの振幅中心電圧Ｖｓｉｇｃから上述した（数１）により導出されるフィードスルー電圧ΔＶだけ差し引いた値に等しくなるように設定すればよい。
【００４８】
上述の実施の形態では、表示色成分が単一の場合について説明したが、表示色成分がＲ成分、Ｇ成分、Ｂ成分のように、複数ある場合にも適用できる。この場合には、例えば、上述したデータ信号線駆動回路を、対応する表示色成分毎に備える構成とすればよく、フルカラーを表示するフルカラー表示駆動モードの他に、ユーザによる操作が無い場合に設定される、表示色数を減らした８色表示駆動モードで駆動するような場合にも適用可能になる。
【００４９】
また、上述の実施の形態では、本発明の電子機器を携帯電話機に適用した場合について説明したが、デジタルカメラやＰＤＡなどの他のモバイル機器等にも適用可能である。
【００５０】
さらに、上述した実施の形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５１】
【図１】本発明の一実施形態に係る携帯電話機の一構成例を示すブロック図である。
【図２】本発明の一実施形態に係る携帯電話機の外観図である。
【図３】表示部としての液晶表示装置のブロック図である。
【図４】液晶表示装置の断面図である。
【図５】表示パネルにおける一表示画素の等価回路を示す図である。
【図６】走査信号及びコモン信号を示す図である。
【図７】データ信号線駆動回路のブロック図である。
【図８】表示信号電圧生成回路の説明図である。
【図９】デジタルデータとしての階調レベルからアナログデータとしての表示信号電圧への変換特性であり、（ａ）は液晶へ印加する電圧の極性が正極性の場合、（ｂ）は液晶へ印加する電圧の極性が負極性の場合。
【図１０】ＤＡＣ部の説明図である。
【図１１】高階調表示駆動モードと低階調表示駆動モードとの間の表示信号Ｖｓｉｇの振幅中心電圧Ｖｓｉｇｃの違いを示す図である。
【図１２】静止画表示駆動モードと動画表示駆動モードとの間の表示信号Ｖｓｉｇの振幅中心電圧Ｖｓｉｇｃの違いを示す図である。
【図１３】各駆動モードとコモン信号の振幅中心電圧との関係を示す図である。
【図１４】表示信号とコモン信号との関係を示す図である。
【符号の説明】
【００５２】
１…携帯電話機、  １３…液晶表示装置（表示部）、  １４…統括制御部、  １５…画像メモリ、  １６…表示パネル、  １７…走査信号線駆動回路、  １８…データ信号線駆動回路、  １９…共通電極駆動回路、  ２０…表示制御部、  １８４…表示信号電圧生成回路  １９１…共通信号設定手段。
【図１】
2009229922.tif 000003
【図２】
2009229922.tif 000004
【図３】
2009229922.tif 000005
【図４】
2009229922.tif 000006
【図５】
2009229922.tif 000007
【図６】
2009229922.tif 000008
【図７】
2009229922.tif 000009
【図８】
2009229922.tif 000010
【図９】
2009229922.tif 000011
【図１０】
2009229922.tif 000012
【図１１】
2009229922.tif 000013
【図１２】
2009229922.tif 000014
【図１３】
2009229922.tif 000015
【図１４】
2009229922.tif 000016